(57)【要約】      （修正有）【課題】構造が簡単でコストが安く、また軽くハンドリング性のよいフロート付太陽電池を提供すること。【解決手段】枠材１に太陽電池２を組み込んで形成した太陽電池パネルユニット３の枠材１によって区画、形成された太陽電池パネルユニット３の背面の空間に、発泡樹脂４を充填する。このフロート付太陽電池に使用される太陽電池パネルユニット３は、太陽電池２を、ＥＶＡ（エチレン酢酸ビニル共重合体）系等の透明樹脂接着剤層５中に埋設し、さらに、その背面側に、アルミニウム製の支持基板６を、表面側に、合成樹脂製の表面保護材７を配設し、その外周周囲を、保護シール材８を介して、アルミニウム製の押し出し成形材からなる枠材１で取り囲んだ防水構造のものからなる。【選択図】図１
2007123380.tif 000002
【特許請求の範囲】
【請求項１】
枠材に太陽電池を組み込んで形成した太陽電池パネルユニットの枠材によって区画、形成された太陽電池パネルユニットの背面の空間に、発泡樹脂を充填してなることを特徴とするフロート付太陽電池。
【発明の詳細な説明】
【技術分野】
【０００１】
本発明は、各種の処理槽や貯留槽等の水面を覆うために用いられるフロート付太陽電池に関し、特に、太陽電池を組み込むことにより、太陽光をエネルギー源として発電を行えるようにしたフロート付太陽電池に関するものである。
【背景技術】
【０００２】
例えば、浄水場においては、原水に凝集剤を添加して凝集・沈澱処理した後、この処理水を活性炭処理及び砂濾過処理する処理方法が採用されており、これらの処理は、それぞれ専用の処理槽において行うようにしている。
【０００３】
ところで、これらの処理を行う処理槽は、通常、上部を解放したままのものが多く用いられており、このため、大気中の塵埃が処理槽内に侵入したり、処理槽内に太陽光が直接照射されることによって藻類が大量に発生し、処理水の処理工程に支障が生じたり、処理水の品質が低下するという問題があった。
【０００４】
一方、従来より、エネルギーの供給システムに関して、石油等の化石燃料の枯渇や環境汚染の問題が叫ばれ、水力、地熱、太陽光、風力といった再生可能なエネルギー源を用いたエネルギーの供給システムの開発が緊急の課題として要請されている。
そこで、下記の特許文献に示されるように、フロートの上面に太陽電池を配設した覆蓋パネルを、水面に浮かべて覆蓋するフロート付太陽電池が提案されている。
【０００５】
しかしながら、上記従来のフロート付太陽電池は、ドーム状に形成したフレームの四隅にフロートを固定するとともに、フレームに天板を固定し、該天板に太陽電池を枠体によって固定することから、構造が複雑で部品点数が多くなり、コストが高く、また重くハンドリング性が悪いという問題があった。
【特許文献１】特開平１０−１７３２１２号公報
【発明の開示】
【発明が解決しようとする課題】
【０００６】
本発明は、上記従来のフロート付太陽電池が有する問題点に鑑み、構造が簡単でコストが安く、また軽くハンドリング性のよいフロート付太陽電池を提供することを目的とする。
【課題を解決するための手段】
【０００７】
上記目的を達成するため、本発明のフロート付太陽電池は、枠材に太陽電池を組み込んで形成した太陽電池パネルユニットの枠材によって区画、形成された太陽電池パネルユニットの背面の空間に、発泡樹脂を充填してなることを特徴とする。
【発明の効果】
【０００８】
本発明のフロート付太陽電池によれば、枠材に太陽電池を組み込んで形成した太陽電池パネルユニットの枠材によって区画、形成された太陽電池パネルユニットの背面の空間に、発泡樹脂を充填してなることから、太陽電池パネルユニットとして、例えば、屋根置き用などに用いられる汎用の枠付の太陽電池パネルユニットを使用することができ、この枠付の太陽電池パネルユニットに浮力体として発泡樹脂を一体成形することにより、構造が簡単でコストが安く、また軽くハンドリング性のよいフロート付太陽電池を製造することができる。
【発明を実施するための最良の形態】
【０００９】
以下、本発明のフロート付太陽電池の実施の形態を、図面に基づいて説明する。
【実施例１】
【００１０】
図１〜図３に、本発明のフロート付太陽電池の一実施例を示す。
このフロート付太陽電池は、枠材１に太陽電池２を組み込んで形成した太陽電池パネルユニット３の枠材１によって区画、形成された太陽電池パネルユニット３の背面の空間に、発泡樹脂４を充填するようにしている。
【００１１】
このフロート付太陽電池に使用される太陽電池パネルユニット３は、太陽電池２を、例えば、ＥＶＡ（エチレン酢酸ビニル共重合体）系等の透明樹脂接着剤層５中に埋設し、さらに、その背面側に、例えば、アルミニウム製の支持基板６を、表面側に、例えば、合成樹脂製の表面保護材７を配設し、さらに、その外周周囲を、保護シール材８を介して、例えば、アルミニウム製の押し出し成形材からなる枠材１で取り囲んだ防水構造のものからなる。
このような太陽電池パネルユニット３は、例えば、屋根置き用などに用いられる汎用の太陽光発電装置の太陽電池パネルユニットを転用することができる。
汎用の太陽光発電装置の太陽電池パネルユニットとして、例えば、図１（ａ）に示すように、枠材１の背面側に延設したＴ字状の脚部１ａを備えているものの場合には、脚部１ａによって区画される太陽電池パネルユニット３の背面の空間に、そのまま発泡樹脂４を充填することができ、また、図１（ｂ）に示すように、背面側が平坦なものの場合には、太陽電池パネルユニット３の枠材１に任意の形状の脚部１ｂを接合し、脚部１ｂによって区画される太陽電池パネルユニット３の背面の空間に、発泡樹脂４を充填するようにする。
【００１２】
発泡樹脂４は、例えば、ウレタン樹脂、塩化ビニル樹脂、スチロール樹脂等からなる発泡性の合成樹脂を、枠材１の脚部１ａ又は枠材１に接合した脚部１ｂによって区画、形成された太陽電池パネルユニット３の背面側の空間に充填して一体化するようにしている。
発泡樹脂４の充填は、図３に示すように、枠材１の脚部１ａ又は枠材１に接合した脚部１ｂによって区画、形成された空間内で合成樹脂を発泡させることにより、一体成形する。
この場合、配線を行いやすくするために、配線１０（又は端子ボックス１１）が発泡樹脂４から露出するようにする。
なお、本実施例においては、枠材１の脚部１ａ又は枠材１に接合した脚部１ｂによって区画、形成された太陽電池パネルユニット３の背面側の空間に、発泡樹脂４を均一な厚さとなるように充填してフロート付太陽電池の全面に均一な浮力が作用するようにし、これによって、フロート付太陽電池を水面に浮かべたとき、太陽電池２の表面が水平となるようにしたが、例えば、太陽電池パネルユニット３の背面側の空間を任意に区分して、この区分した空間の任意の位置に発泡樹脂４を充填したり、枠材の脚部１ａ又は枠材１に接合した脚部１ｂの高さ方向の寸法や発泡樹脂４の充填厚さを１つのフロート付太陽電池で部分的に変えることによって、フロート付太陽電池に作用する浮力の大きさを不均一にし、これによって、フロート付太陽電池を水面に浮かべたとき、太陽電池２の表面が水平面に対して所定の角度を維持するようにして、発電効率を高めるようにすることもできる。
そして、このように形成したフロート付太陽電池は、同様に形成した複数のフロート付太陽電池を組み合わせて連結することにより、一体化して大面積にも対応することができる。
【００１３】
このように、本実施例のフロート付太陽電池は、枠材１に太陽電池２を組み込んで形成した太陽電池パネルユニット３の枠材１によって区画、形成された太陽電池パネルユニット３の背面の空間に、発泡樹脂４を充填することによって、太陽電池パネルユニット３として、例えば、屋根置き用などに用いられる汎用の枠付の太陽電池パネルユニット３を使用することができ、この枠付の太陽電池パネルユニット３に浮力体として発泡樹脂４を一体成形することにより、構造が簡単でコストが安く、また軽くハンドリング性のよいフロート付太陽電池を製造することができる。
【００１４】
以上、本発明のフロート付太陽電池について、その実施例に基づいて説明したが、本発明は上記実施例に記載した構成に限定されるものではなく、その趣旨を逸脱しない範囲において適宜その構成を変更することができる。
【産業上の利用可能性】
【００１５】
本発明のフロート付太陽電池は、構造が簡単でコストが安く、また軽くハンドリング性に優れていることから、水処理施設の水上を覆うフロート付太陽電池に好適に用いることができるほか、例えば、ダム、湖、海上等の水面に浮かべて使用するフロート付太陽電池の用途にも用いることができる。
【図面の簡単な説明】
【００１６】
【図１】本発明のフロート付太陽電池の実施例を示す断面図である。
【図２】同フロート付太陽電池に使用する太陽電池パネルユニットの一例を示し、（ａ）は平面図、（ｂ）は背面図である。
【図３】同フロート付太陽電池の製造工程を示し、（ａ）は発泡樹脂を充填する前の太陽電池パネルユニットの背面斜視図、（ｂ）は発泡樹脂を充填した後の太陽電池パネルユニット（フロート付太陽電池）の背面斜視図である。
【符号の説明】
【００１７】
１    枠材
１ａ  脚部
１ｂ  脚部
２    太陽電池
３    太陽電池パネルユニット
４    発泡樹脂
５    透明樹脂接着剤層
６    支持基盤
７    表面保護材
８    端面保護シール材
１０  配線
１１  端子ボックス
【図１】
2007123380.tif 000003
【図２】
2007123380.tif 000004
【図３】
2007123380.tif 000005